(57)【要約】      （修正有）【課題】捻じれ型テニスラケットを提供する。【解決手段】捻じれ型テニスラケット１０はグリップ２０、二つのシャフト３０およびフレーム４０を備える。二つのシャフトは相互に背を向け合う外側面３２を有する。フレームは環状を呈し、仮想平面５０に位置する大円弧部位４１および小円弧部位４５を有する。大円弧部位は外向きの外側円弧面４３を有する。外側円弧面と二つのシャフトの二つの外側面は繋がって連続曲面６０になる。連続曲面は少なくとも一つの捩れ部位７０を有する。捩れ部位は先頭部７１および後尾部７２を有する。捩れ部位の先頭部はフレームの大円弧部位に位置し、仮想平面上の第一面方向となる。捩れ部位の後尾部はグリップに連結され、第二面方向となる。第二面方向と第一面方向の成す夾角は０°以上かつ１８０°以下である。上述した技術特徴により、捻じれ型テニスラケットはボール制御性が比較的良好であるだけでなく、フェイスを迅速に振り回すことができる。【選択図】図１
0003215865.tif 000002
【実用新案登録請求の範囲】
【請求項１】
グリップ、二つのシャフトおよびフレームを備え、
二つの前記シャフトは、前記グリップの一端から伸びて形成され、相対する内側面と、相互に背を向け合う外側面とを有し、
前記フレームは、環状を呈し、仮想平面に位置する大円弧部位および小円弧部位を有し、前記大円弧部位はＣ字型を呈し、両端部が二つの前記シャフトの末端部に連結され、前記小円弧部位は前記大円弧部位の前記両端部に連結され、前記大円弧部位は外向きの外側円弧面および内向きの内側円弧面を有し、前記外側円弧面と二つの前記シャフトの二つの前記外側面は繋がって連続曲面になり、
前記連続曲面は、少なくとも一つの捩れ部位を有し、前記捩れ部位は先頭部および後尾部を有し、前記捩れ部位の前記先頭部は前記フレームの前記大円弧部位に位置し、前記仮想平面上の第一面方向となり、前記捩れ部位の前記後尾部は前記グリップに連結され、第二面方向となり、前記第二面方向と前記第一面方向の成す夾角は０°以上かつ１８０°以下であることを特徴とする捻じれ型テニスラケット。
【請求項２】
前記捩れ部位の前記先頭部は、前記フレームの前記大円弧部位および前記シャフトの連結箇所に位置することを特徴とする請求項１に記載の捻じれ型テニスラケット。
【請求項３】
前記捩れ部位の前記先頭部は、前記フレームの前記大円弧部位の側面端部に位置することを特徴とする請求項１に記載の捻じれ型テニスラケット。
【請求項４】
前記第一面方向と前記第二面方向の成す前記夾角は約９０°であることを特徴とする請求項１に記載の捻じれ型テニスラケット。
【請求項５】
二つの前記シャフトと前記グリップの連結箇所は前記仮想平面の上方および下方に位置することを特徴とする請求項４に記載の捻じれ型テニスラケット。
【請求項６】
前記連続曲面は、二つの前記捩れ部位を有することを特徴とする請求項１に記載の捻じれ型テニスラケット。
【請求項７】
二つの前記捩れ部位は、前記第一面方向と前記第二面方向の成す前記夾角が同じであるのことを特徴とする請求項６に記載の捻じれ型テニスラケット。
【考案の詳細な説明】
【技術分野】
【０００１】
本考案はスポーツ用品に関し、詳しくはボール制御性が良好でフェイスを迅速に振り回すことができる捻じれ型テニスラケットに関するものである。
【背景技術】
【０００２】
プロテニスプレーヤーがラケットを振り回してボールを打つ際、フォアハンド、バックハンド、ドロー、カット、カットボレーなどの技法によってフェイスを適切に振り回す。それに対応するために、フェイスを迅速に回せるテニスラケットはプロテニスプレーヤーに求まられる。しかしながら、従来のテニスラケットの製造者はあまりプロテニスプレーヤーのニーズを直視し解決に努力することを意識してこなかった。一方、テニスラケットのボール制御性が良いか否かということは打撃効果を左右するため、テニスラケットのボール制御性を向上させることはそれに関連する技術領域において絶えずに研究開発を進める重要な課題である。
【考案の概要】
【考案が解決しようとする課題】
【０００３】
本考案は、ボール制御性が良好でフェイスを迅速に振り回すことができる捻じれ型テニスラケットを提供することを主な目的とする。
【課題を解決するための手段】
【０００４】
上述した課題を解決するため、捻じれ型テニスラケットはグリップ、二つのシャフトおよびフレームを備える。二つのシャフトはグリップの一端から伸びて形成され、相対する内側面と、相互に背を向け合う外側面とを有する。フレームは環状を呈し、仮想平面に位置する大円弧部位および小円弧部位を有する。大円弧部位はＣ字型を呈し、両端部がシャフトの末端部に連結される。小円弧部位は大円弧部位の両端部に連結される。大円弧部位は外向きの外側円弧面および内向きの内側円弧面を有する。外側円弧面と二つのシャフトの二つの外側面は繋がって連続曲面になる。連続曲面は少なくとも一つの捩れ部位を有する。捩れ部位は先頭部および後尾部を有する。捩れ部位の先頭部はフレームの大円弧部位に位置し、仮想平面上の第一面方向となる。捩れ部位の後尾部はグリップに連結され、第二面方向となる。第二面方向と第一面方向の成す夾角は０°以上かつ１８０°以下である。
【０００５】
上述したとおり、捻じれ型テニスラケットは捻じれ部位が設計されるため、フェイスは迅速に振り回され、各種の技法を機敏に切り替え、ラケットのボール制御性を改善することができる。
【図面の簡単な説明】
【０００６】
【図１】本考案の第1実施形態による捻じれ型テニスラケットを示す斜視図である。
【図２】本考案の第1実施形態による捻じれ型テニスラケットを示す平面図である。
【図３】本考案の第1実施形態による捻じれ型テニスラケットの一部分を示す側面図である。
【図４】図１中の４−４線に沿った断面図である。
【図５】本考案の第２実施形態による捻じれ型テニスラケットを示す斜視図である。
【考案を実施するための形態】
【０００７】
以下、本考案による捻じれ型テニスラケットを図面に基づいて説明する。
【０００８】
（第1実施形態）
図１から図３に示すように、本考案の第1実施形態による捻じれ型テニスラケット１０はグリップ２０、二つのシャフト３０およびフレーム４０を備える。
【０００９】
グリップ２０は、前端部２１および後端部２２を有し、横断面が八角形を呈する。
【００１０】
二つのシャフト３０は、グリップ２０の前端部２１から伸びて形成され、相対する内側面３１と、相互に背を向け合う外側面３２とを有する。
【００１１】
フレーム４０は、環状を呈し、大円弧部位４１および小円弧部位４５を有する。大円弧部位４１および小円弧部位４５は仮想平面５０に位置する。本実施形態において、仮想平面５０はＸ−Ｙ平面である。大円弧部位４１はＣ字型を呈し、両端部４２が二つのシャフト３０の末端部３３に連結される。小円弧部位４５は大円弧部位４１の両端部４２に連結される。大円弧部位４１は外向きの外側円弧面４３および内向きの内側円弧面４４を有する。外側円弧面４３と二つのシャフト３０の二つの外側面３２は繋がって連続曲面６０になる。連続曲面６０は二つの捩れ部位７０を有する。それぞれの捩れ部位７０は先頭部７１および後尾部７２を有する。捩れ部位７０の先頭部７１はフレーム４０の大円弧部位４１およびシャフト３０の連結箇所に位置し、第一面方向８１となる。第一面方向８１は仮想平面５０、即ちＸ−Ｙ平面に位置付けられる。捩れ部位７０の後尾部７２はグリップ２０に連結され、第二面方向８２となる。本実施形態において、二つの第二面方向８２ともＺ軸に平行であり、そのうちの一つがＸ−Ｙ平面の上方を指し、別の一つがＸ−Ｙ平面の下方を指す。二つの捩れ部位７０の第二面方向８２と第一面方向８１は夾角を成す。二つの夾角とも約９０°である。二つの捩れ部位７０は捩れ方向が同じであるため、二つのシャフト３０とグリップ２０の連結箇所を仮想平面５０の上方および下方に位置させる。
【００１２】
詳しく言えば、第一面方向８１および第二面方向８２は面の方向即ち面の向き、例えば人間の顔の向きである。人間の顔の曲線にかかわらず、面の向きは人間の顔の向いた方向である。図４は捻じれ型テニスラケット１０の大円弧部位４１とシャフト３０の連結箇所（即ち捩れ部位７０の先頭部７１）を示す横断面図である。連続曲面６０は大円弧部位４１の外側円弧面４３になるため、図４中の第一面方向８１は右向きの矢印で表示される。一方、連続曲面６０（即ち外側円弧面４３）と内側円弧面４４との二つの連結箇所４７を連結して連結線Ｌを形成すれば、第一面方向８１は連結線Ｌに対して垂直を保ちながら連結線Ｌの中心を通る。本実施形態において、連結線ＬはＺ軸に平行である。第一面方向８１はＸ−Ｙ平面に位置付けられる。図１から図３に示すように、二つの捩れ部位７０の面の方向がＸ−Ｙ平面上の先頭部７１からなる第一面方向８１から徐々に逆時計回りし（グリップ２０の後端部２２から見た方向へ回る）、捩れ部位７０の後尾部７２に達すると、二つの捩れ部位７０の面の方向はＺ軸に平行の第二面方向８２になり、そのうちの一つがＺ軸の正方向を指し、別の一つがＺ軸の負方向を指す。
【００１３】
右利きの人が捻じれ型テニスラケット１０を使用する場合、右の手でグリップ２０を握り、左の手で二つのシャフト３０（即ち捩れ部位７０）を軽く支えればよい。続いて左の手でラケットを回す際、力を入れる方向をそれに対応する部位の連続曲面６０に垂直させれば、プレーヤーの思ったとおり捻じれ型テニスラケット１０を所定角度まで迅速に回し、様々な技法を機敏に切り替えることができる。一方、捻じれ型テニスラケット１０は連続曲面６０の捩れ部位７０が設計されるため、ボールを打つ際、一般のテニスラケットと異なる手ごたえを感じる。プロテニスプレーヤーにテストしてもらった結果により、本考案による捻じれ型テニスラケットはボール制御性が従来のテニスラケットに優れ、市場に潜在力があることが判明した。
【００１４】
（第２実施形態）
本考案の考案精神に基づいて捻じれ部位７０の範囲を調整することができる。図５に示すように、本考案の第２実施形態による捻じれ型テニスラケット１０は構造が第１実施形態とほぼ同じである。グリップ２０の位置がフレーム４０の６時方向と定義される場合、フレーム４０の大円弧部位４１は二つの側面端部４６を有する。二つの側面端部４６はフレーム４０の３時方向および９時方向に別々に位置する。第２実施形態の特徴は捩れ部位７０の先頭部７１が側面端部４６に位置することである。
【００１５】
一方、別の実施形態において、それぞれの第二面方向とそれに対応する第一面方向の成す夾角は上述に限らず、異なってもよい。捩れ部位の捩れ方向は逆でもよい。詳しく言えば、捻じれ型テニスラケットは捩れ部位が二つであるとは限らず、一つでもよい。第一面方向と第二面方向の成す夾角はプレーヤーのボールを打つ習慣に応じて変わってもよい。夾角が０°以上かつ１８０°以下でさえあればよい。夾角が９０°ではない場合、シャフトとグリップの連結箇所は仮想平面の上方および下方に位置するとは限らない。
【００１６】
捩れ部位の先頭部は上述した第１実施形態および第２実施形態に限らず、先頭部がフレームの大円弧部位の任意の位置、例えば１２時方向上の位置、４時方向上の位置または８時方向上の位置に据えられてもよい。
【００１７】
以上、本考案は、上記実施形態になんら限定されるものではなく、考案の趣旨を逸脱しない範囲において種々の形態で実施可能である。
【符号の説明】
【００１８】
１０：捻じれ型テニスラケット、  
２０：グリップ、  
２１：前端部、  
２２：後端部、  
３０：シャフト、  
３１：内側面、  
３２：外側面、  
３３：先端部、  
４０：フレーム、  
４１：大円弧部位、  
４２：両端部、  
４３：外側円弧面、  
４４：内側円弧面、  
４５：小円弧部位、  
４６：側面端部、  
４７：内外側面円弧の連結箇所、  
５０：仮想平面、  
６０：連続曲面、  
７０：捩れ部位、  
７１：先頭部、  
７２:後尾部、  
８１：第一面方向、  
８２：第二面方向  
Ｌ：連結線
【図１】
0003215865.tif 000003
【図２】
0003215865.tif 000004
【図３】
0003215865.tif 000005
【図４】
0003215865.tif 000006
【図５】
0003215865.tif 000007